(57)【要約】【課題】  カラスが近づかないようにする忌避具であって、カラスが最も嫌うカラスの模型で構成した忌避具の提供。【解決手段】  忌避具は黒いゴム製のカラス模型１と爆竹１４を取付ける携帯式簡易空砲筒１３から成り、上記カラス模型１は頭部９を上にして両翼１１，１１を垂れ下げた状態で吊具４，６を介して吊設され、上記携帯式簡易空砲筒１３は爆竹１４を収容してセットする空砲筒１５と該空砲筒１５に持ち手１８を取付けている。【選択図】    図１
0003116404.tif 000002
【実用新案登録請求の範囲】
【請求項１】
カラスが近づかないようにする忌避具において、該忌避具は黒いゴム製のカラス模型と爆竹を取付ける携帯式簡易空砲筒から成り、上記カラス模型は頭部を上にして両翼を垂れ下げた状態で吊具を介して吊設され、上記携帯式簡易空砲筒は爆竹を収容してセットする空砲筒と該空砲筒に持ち手を取付けたことを特徴とするカラスの忌避具。
【請求項２】
上記カラス模型を３本の支柱を組み合わせて構成した三脚の頂点に吊具を介して吊設した請求項１記載のカラス忌避具。
【請求項３】
上記三脚の高さを２．４ｍとし、該三脚に吊設したカラス模型の高さを１．８ｍとした請求項２記載のカラス忌避具。
【考案の詳細な説明】
【技術分野】
【０００１】
本考案はカラスが近づかないようにするカラスの忌避具に関するものである。
【背景技術】
【０００２】
各家庭から出されるゴミは所定の場所に置かれ、巡回する収集車によって集められる。しかし、出されたゴミは収集車によって回収されるまではそのまま放置され、この放置されたゴミにカラスが群がって周囲に散らかしてしまう。近年ではこの放置されるゴミに群がるカラスが多く、特に都会ではこのカラス対策が問題と成っている。従来から色々な対策が講じられているが、その効果は十分でなく、カラスとの知恵比べが続いている。
【０００３】
しかし、カラスの害を受けるのは何も集められたゴミに限らず、電柱に巣を作って色々なトラブルを引き起こしている。カラスなどの鳥類は電柱の電線支持アームに取付けた碍子と碍子の間に巣を作ることが多い。そして、この巣を作る為に金属ワイヤーを使うことがあり、この金属ワイヤーが電線にショートして架線事故を発生する。又、光ケーブルに停まってクチバシで突き、送受信回路が混乱してしまう事態が発生する。
【０００４】
これらの害を防止する為に、カラスなどが飛来して電柱や電線に停まることを防止する為に針状の突起物を取付けたり、電柱の腕木に光を反射する物体を取付けて不快感を与えるようにしたものが知られている。又、カラスが嫌がる臭いを放散する装置、忌避材を電柱に塗布するなど多種多様な鳥類営巣防止具が知られ、又使用されている。
【０００５】
一方、農作物にもカラスによって多くの被害がもたらされている。実用新案登録第３０８６９２２号に係る「カラス忌避装置」は、カラスの死骸を吊るすことによってカラスを退治する方法であり、死骸をただ吊るしただけでは時間の経過と共にバラバラに成ってしまうため、固まると透明なプラスチック素材でカラス全体を被うことにより一定期間解体を防ぐことが出来る。そして、強度を増すために針金を通して繋ぐことで更に長持ちする構造としている。
【０００６】
しかし、数多くのカラスの死骸を集めること事態大変であり、しかも透明な樹脂で全体を固めることは容易でない。又、樹脂で固めても腐敗して周囲には悪臭が漂う為に、何時までも吊下げて置くことは出来ない。又、上記公報の図面に表示しているように、足に紐を結んで真っ逆さかさまに吊下げている。このような吊下げ方はカラスが死んだ状態とは程遠く不自然な姿である。したがって、人が意識的に行った行為であることをカラスは認識してしまい、忌避具としての効果は少ない。
【０００７】
実用新案登録第３０８８５９３号に係る「カラス忌避装置」は、釣糸に錘を通し、１つ以上のより戻しを介して、釣糸、錘を通して、その端に鳥の羽根を吊るす構成により、カラスを近づけない装置である。１枚の羽根があたかも空間を舞っているようにすることで、顕著な忌避効果が得られると述べているが、実際には期待する効果は得られない。
【０００８】
これらの他にもカラスが近づかないように工夫した忌避具は色々あり、特開９−１９１８１５号に係る「電柱の鳥類営巣防止具」、実用新案登録第３０７４５１１号に係る「鳥害防止具」、実用新案登録第３０６８３２０号に係る「カラス忌避具」、実開平７−４２６１０号に係る「鳥類忌避装置」などが知られている。
【特許文献１】実用新案登録第３０８６９２２号に係る「カラス忌避装置」
【特許文献２】実用新案登録第３０８８５９３号に係る「カラス忌避装置」
【特許文献３】特開９−１９１８１５号に係る「電柱の鳥類営巣防止具」
【特許文献４】実用新案登録第３０７４５１１号に係る「鳥害防止具」
【特許文献５】実用新案登録第３０６８３２０号に係る「カラス忌避具」
【特許文献６】実開平７−４２６１０号に係る「鳥類忌避装置」
【考案の開示】
【考案が解決しようとする課題】
【０００９】
このように、カラスを近づけないようにする忌避装置は色々存在しているが、被害に遭わないようにする効果的な方法は存在していない。本考案が解決しようとする課題はこの問題点であり、カラスの被害を少なくする為にカラスが最も嫌うカラスの忌避具を提供する。
【課題を解決するための手段】
【００１０】
本考案に係るカラスの忌避具はカラスの死骸をゴム製模型で模ったものである。銃撃の犠牲になった仲間の哀れで無残な姿を現した模型であり、カラスはこの模型を見て脳裏に深く刻み込む。ところで、この無残な姿を表現した模型とは、両翼を垂れ下げた姿であり、前記従来技術(実用新案登録第３０８６９２２号に係る「カラス忌避装置」)の図面に表示しているような、逆さ吊りでは効果がない。
【００１１】
この模型は廃タイヤなどを利用したゴム製であり、タイヤの黒いゴムはカラスの色に近く、しかも廃タイヤを使用することで安く製作できる利点がある。吊下げ方法は限定しないが、例えば３本の支柱を組み合わせた三脚の頂点から垂下する細いワイヤー又は水糸などを使用し、頭部やクチバシを上にして両翼を垂れ下げた格好とする。そして、本考案ではこのカラスの模型と共に、爆竹を組み合わせて使用する。
【００１２】
上記三脚にカラスの模型を吊下げることで、カラスは近づかないようになる。吊下げる場所はカラスの目に留まりやすい場所が好ましい。しかし利口なカラスは約１ヶ月ほど経過すると、付近を警戒しながら観察に来る。そこで、この時期を失することなく空洞筒に爆竹を装填し、該爆竹を爆発することでカラスを威嚇退散させることが必要である。その理由は定かでないが、長年の試行錯誤と経験に基づく対策である。
【考案の効果】
【００１３】
本考案のカラスの忌避具はカラスが両翼を垂下げた死骸を模った模型であり、これを三脚の頂点付近に吊下げることで、カラスは哀れな仲間の姿を見て近づかないようになる。該模型は黒いゴム製であり、その製作は安くて簡単に出来、特に処分に困る廃タイヤを用いるならば安くなると共に環境保全の上からも効果的である。しかし、単に模型を吊下げただけではその効果が薄れる為に、カラスが警戒しながら観察に来た時を見計らって爆竹を爆発させることで、カラスが近づくことはなくなる。
【実施例】
【００１４】
図１は本考案に係るカラスの忌避具を表す実施例である。同図の１はカラス模型、２ａ，２ｂ，２ｃは支柱を表し、３本の支柱２ａ，２ｂ，２ｃはその上端がワイヤーで締結されると共に下端を正三角形の頂点に配置して３脚を構成している。そして頂点３から細いワイヤーからなる吊具４を垂下し、下端にはカギ５を形成している。カラス模型１に取付けられて上方へ延びる吊具６の上端に形成したカギ７を上記吊具４のカギ５に係止して該カラス模型１は三脚の上端部に吊設されている。
【００１５】
ここで、該三脚の大きさ・形状は限定しないが、例えば頂点３までの高さを２．４ｍとし、カラス模型１の高さを１．８ｍとすることが出来、三脚の各支柱２ａ，２ｂ，２ｃの下端間距離を１．５ｍとすれば安定して起立する。そして、上記カラス模型１は黒いゴム製であり、廃タイヤを利用して安く製作することが出来る。しかも、タイヤのゴムは安定した材質であり、何時までも変質しないカラス模型１が出来上がる。
【００１６】
図２はカラス模型１を表している具体例である。カラス模型１は胴部８と頭部９及び尾っぽ１０、翼１１，１１、及び脚１２，１２を有している。ここで、該カラス模型１の作り方は自由であって限定するものではないが、例えば金型を用いてゴムを射出成形することが出来る。
【００１７】
胴部８、頭部９、及び尾っぽ１０を一体化して成形し、該胴部８の両側に別途成形した翼１１，１１を接着剤を介して固着し、又胴部８の下側に脚１２，１２を取着する。ここで、翼１１，１１は胴部８の両側に接着する場合、垂れ下がった状態とする。そして、胴部８の頭部側に上記吊具６を取着し、図１に示すように僅かに傾いた状態になるように吊下げ、両翼１１，１１は下方へ垂下がっている。これが、カラスの最も哀れな姿であり、他のカラス仲間はこの姿を見て恐怖感を覚えて近づかないようになる。
【００１８】
しかし、周知の通り、他の鳥に比較して利口なカラスは、時が経過すると周囲を警戒しながら観察に来る。この時期を見逃してしまうと、カラスは上記カラス模型は人が製作した単なる模型であると認識してしまい、抱いていた恐怖感が消えてしまう。そこで、観察に来た時を見計らって爆竹を爆破させて威嚇することが必要となる。
【００１９】
図３は爆竹１４を取付ける携帯式簡易空砲筒１３であり、この空砲筒１５の外側から１対の挟持片１６ａ，１６ｂが水平に延び、底１７から起立する爆竹１４が転倒しないように挟持し、この状態で点火・爆破する。この爆竹１４の爆破音でカラスを威嚇し、追い出すことが出来る。空砲筒１５には持ち手１８が取付けられ、手に持ってカラスの方へ向けて爆破させるならばカラスは驚いて飛び去り、当分の間は近づかないようになる。又、何ヶ月か経過して観察に来た時には、再び爆竹１４で威嚇すればよいが、最近の観察では少なくとも２ヶ月経過してもカラスは寄って来ない。
【００２０】
ここで、本考案のカラス模型の姿をされに説明するに、カラスは空を飛ぶ以外は、両翼を胴部になじむように閉じた状態に折畳んでいる。しかし、銃で撃たれたカラスはとっさの反射神経の作用で両翼は垂れ下がって地面に横たわる。カラスは、この両翼を垂れ下げて地面に倒れた仲間の哀れな姿を認識している。従って、本考案に係るカラス忌避具はこの哀れな姿を模った模型を使用し、この姿が単なる模型であることが認知される前に爆竹で威嚇することで、カラスが近づかないようにする。爆竹１４の爆破だけでは、単なる一時的なものでカラスは暫らくして近づくが、本考案の哀れなカラス模型との組合せで相当な期間にわたって近づかないようになる。
【図面の簡単な説明】
【００２１】
【図１】本考案に係るカラス忌避具を示す実施例。
【図２】カラス模型の具体例。
【図３】爆竹をセットした携帯式簡易空砲筒。
【符号の説明】
【００２２】
１  カラス模型
２  支柱
３  頂点
４  吊具
５  カギ
６  吊具
７  カギ
８  胴部
９  頭部
10  尾っぽ
11  翼
12  脚
13  携帯式簡易空砲筒
14  爆竹
15  空砲筒
16  挟持片
17  底
18  持ち手
【図１】
0003116404.tif 000003
【図２】
0003116404.tif 000004
【図３】
0003116404.tif 000005